(57)【要約】  喫煙具のためのパッケージであって、内容器（４、１０４）と外容器（６、１０６）とを含むパッケージが開示される。内容器は、外容器に対して摺動可能であり、及び内容器は、複数の喫煙具を保持するための少なくとも１つの区画を含む。摺動レールは、内容器（４）におけるスロット（１０）として、又は外容器（１０６）における折り曲げられたフラップ（１１０）として提供され得る。摺動レールで摺動するために、タブが外容器に提供され得るか、又はタブ（１１６）が内容器に提供され得る。タブ（１１６）とスロット（１０）又はフラップ（１１０）との間の摺動相互作用は、外容器（６、１０６）の外壁（１７、１１７）の内側に提供される。
2020511371.tif 000002
【特許請求の範囲】
【請求項１】
喫煙具のためのパッケージであって、
外壁を有する外容器、
前記外容器に対して可動である内容器であって、前記外壁の内側に提供され、且つ複数の喫煙具を保持するための少なくとも１つの区画を含む内容器、
前記外容器及び前記内容器の一方に提供された摺動レール並びに前記外容器及び前記内容器の他方に提供されたタブ
を含み、前記タブは、前記摺動レールに対して摺動するように構成され、且つ前記摺動レール及びタブは、それぞれの相対的位置において、前記内容器のための閉位置と第１及び第２開位置とを提供し、
前記摺動レール及び前記タブは、前記外容器の前記外壁の内側に提供される、パッケージ。
【請求項２】
前記摺動レールは、前記外容器及び前記内容器の一方におけるスロットによって提供され、及び前記タブは、前記スロットに受け入れられるように配置される、請求項１に記載のパッケージ。
【請求項３】
前記摺動レールは、前記外容器及び前記内容器の一方における折り曲げられたフラップによって提供される、請求項１に記載のパッケージ。
【請求項４】
前記タブは、前記摺動レールと係合するために前記摺動レールの上に巻き付くように配置される、請求項１〜３のいずれか一項に記載のパッケージ。
【請求項５】
前記摺動レール及びタブは、一緒に付勢される、請求項１〜４のいずれか一項に記載のパッケージ。
【請求項６】
前記摺動レールは、前記外容器の前記外壁に対して角度が付けられている主面を含む、請求項３〜５のいずれか一項に記載のパッケージ。
【請求項７】
前記第１開位置は、前記内容器を前記外容器に対して前記閉位置から第１方向に摺動させることによって到達され、前記第２開位置は、前記内容器を前記外容器に対して前記閉位置から第２方向に摺動させることによって到達され、前記第１及び第２方向は、互いに反対である、請求項１〜６のいずれか一項に記載のパッケージ。
【請求項８】
前記摺動レールは、前記第１及び第２開位置間での前記レールに対する前記タブの移動を制限するための第１及び第２制限停止部を含む、請求項７に記載のパッケージ。
【請求項９】
前記摺動レールの長さは、前記摺動レールが提供される前記外容器又は前記内容器の幅未満である、請求項１〜８のいずれか一項に記載のパッケージ。
【請求項１０】
喫煙具パッケージのための容器を形成するための被加工物であって、
外面、
２つの大きい長手方向パネル、ベースパネル並びに（ｉ）複数の小さい長手方向サイドパネル及び（ｉｉ）トップパネルの少なくとも１つ
を含み、前記パネルは、喫煙具を保持するための容器を形成するために組み立てられ得、
少なくとも１つの大きい長手方向パネルは、前記大きい長手方向パネルの前記外面から突出するタブを含む、被加工物。
【請求項１１】
前記タブは、切削によって形成される、請求項１０に記載の被加工物。
【請求項１２】
前記タブを含む前記少なくとも１つの大きい長手方向パネルは、複層である、請求項１０又は１１に記載の被加工物。
【請求項１３】
前記被加工物の周りに延在する円周方向外形を含み、前記タブの縁は、前記円周方向外形の一部を形成する、請求項１０〜１２のいずれか一項に記載の被加工物。
【請求項１４】
喫煙具パッケージのための容器を形成するための被加工物であって、
２つの大きい長手方向パネル、ベースパネル並びに（ｉ）複数の小さい長手方向サイドパネル及び（ｉｉ）トップパネルの少なくとも１つ
を含み、前記パネルは、喫煙具を保持するための容器を形成するために組み立てられ得、
少なくとも１つの大きい長手方向パネルは、摺動レールを含む、被加工物。
【請求項１５】
少なくとも１つの複層の大きい長手方向パネルを形成するための強化パネルをさらに含み、前記強化パネルの１つは、前記摺動レールを形成する折り曲げられたフラップを含む、請求項１４に記載の被加工物。
【発明の詳細な説明】
【技術分野】
【０００１】
本発明は、喫煙具のためのパッケージに関する。特に、本発明は、外容器内に挿入され、且つ開及び閉位置間で摺動するように配置されている、煙草の束を含む内容器を有するいわゆる側方スライドパックに関する。
【背景技術】
【０００２】
閉位置において、内容器は、煙草の束へのアクセスが妨げられるように実質的に外容器内にある。開位置において、内容器は、煙草の束へのアクセスを可能にするように部分的に外容器の外側にある。内容器は、それぞれ内側ライナーに包まれた２束の煙草を収容することができる。
【０００３】
煙草の束は、束が製造プロセスに耐えるのに十分剛性となることを確実にするために内側ライナーに包まれる。追加的に、内側ライナーは、煙草の湿度を制御することを支援し、且つ酸素交換を可能にし、これは、製品の鮮度を確保する。
【０００４】
内容器が外容器内を摺動することを可能にするためのいくつかの設計が既知である。一例において、中国実用新案出願第２０２６８６９２１Ｕ号明細書は、外容器であって、内容器から突出する舌状部のためのガイドとして成形される主パネルの１つの側で折り曲げ可能である２つのタブを含む外容器を説明している。同様の配置構成が中国実用新案出願第２０２２４４７２３Ｕ号明細書において説明されており、ここでは、外容器の内壁は、内容器の移動の境界を定める制限停止縁を備えたガイドを含む。
【０００５】
パッケージの正常な使用において経験され得るように、摺動機構の有効な作動は、外容器にかけられる圧力によって影響を受け得るため、既知の設計において問題が生じ得る。加えて、ガイド及びタブの相対的移動は、外容器の外壁においてわずかな膨らみを作り出すことがあり、これは、ユーザによっては望ましくない。
【発明の概要】
【発明が解決しようとする課題】
【０００６】
本発明の目的は、これらの問題のいくつかに対処し且つそれらを軽減することである。
【課題を解決するための手段】
【０００７】
本発明の態様によると、喫煙具のためのパッケージであって、外壁を有する外容器、外容器に対して可動である内容器であって、外壁の内側に提供され、且つ複数の喫煙具を保持するための少なくとも１つの区画を含む内容器、外容器及び内容器の一方に提供された摺動レール並びに外容器及び内容器の他方に提供されたタブを含み、タブは、レールに対して摺動するように構成され、且つ摺動レール及びタブは、それぞれの相対的位置において、内容器のための閉位置と第１及び第２開位置とを提供し、摺動レール及びタブは、外容器の外壁の内側に提供される、パッケージが提供される。
【０００８】
したがって、レール及びタブの相対的移動は、パッケージの外容器の外壁の内側で生じる。これは、これらのコンポーネントの摺動による相対的移動のためのいくらかの保護を、これらが外部要因による影響を受けにくくなり得るように提供し得る。加えて、外壁内で内側におけるレールに対するタブの摺動移動を提供することにより、これらの移動部品は、ユーザに見えにくくなり得る。
【０００９】
一配置構成において、摺動レールは、内容器におけるスロットを含み得る。この配置構成において、タブは、スロットに受け入れられ得るように外容器に提供され得る。これは、外容器に対してパッケージにおいて内側に摺動相互作用部を位置付けるために好都合な配置構成であることが分かっている。第１開位置は、タブがスロットの第１側に位置付けられるときに達成され得、及び第２開位置は、タブがスロットの第２側に位置付けられるときに達成され得る。スロットの縁は、したがって、タブの移動に対する制限を提供し得る。代替的に、スロットが外容器に、且つタブが内容器に提供され得る。
【００１０】
別の配置構成において、摺動レールは、外容器及び内容器の一方における折り曲げられたフラップによって提供され得る。このようにして、摺動レールは、糊なしで且つ単純に被加工物のフラップを折り曲げることによって作り出され得る。これは、製造の容易さを向上させ得る。
【００１１】
内及び外容器は、典型的には複数のパネルから形成される。いくつかの実施形態において、内容器の１つのパネルは、タブを含み、及び外容器の１つのパネルは、摺動レールを含む。他の実施形態において、内容器の１つのパネルは、摺動レールを含み、及び外容器の１つのパネルは、タブを含む。タブ又は摺動レールを含む外容器のパネルは、好ましくは、複層である。この複層パネルを提供することにより、タブ及び／又は摺動レールが外側から見えなくなり、これは、より審美的に魅力的であり、且つまたタブ及び／又は摺動レールを損傷から保護する。
【００１２】
タブは、タブが提供される外容器又は内容器から見て摺動レールの上に巻き付くように配置され得る。また、摺動レール及びタブは、一緒に付勢され得る。これは、摺動レールとタブとの間において、それらが互いに対して摺動する場合に堅固な係合が達成されることを可能にし得る。付勢は、材料の曲げ抵抗を理由として自然な付勢を有する折り曲げられたフラップとして摺動レールを提供することによって達成され得る。
【００１３】
摺動レールは、外容器の外壁に対して角度が付けられている主面を含み得る。鋭角が摺動レールと外容器の外壁との間に形成され得る。
【００１４】
摺動レールは、タブがパッケージの内容器に提供された状態でパッケージの外容器に提供され得る。使用時、タブは、摺動レールと外容器の外壁との間に位置付けられ得る。代替的な配置構成において、摺動レールがパッケージの内容器に提供され、タブがパッケージの外容器に提供される場合、摺動レールは、タブとパッケージの外容器の外壁との間に提供され得る。
【００１５】
好ましくは、第１開位置は、内容器を外容器に対して閉位置から第１方向に摺動させることによって到達され、及び第２開位置は、内容器を外容器に対して閉位置から第２方向に摺動させることによって到達され、第１及び第２方向は、互いに反対である。
【００１６】
好ましくは、摺動レールは、第１及び第２開位置間でのレールに対するタブの移動を制限するための第１及び第２制限停止部を含む。また、摺動レールの長さは、摺動レールが提供される外容器又は内容器の幅未満であり得る。制限停止部は、摺動レールのそれぞれの端部と外容器又は内容器の縁との間に適切に提供され得る。
【００１７】
本発明の別の態様によると、喫煙具パッケージのための容器を形成するための被加工物が提供される。被加工物は、外面、２つの大きい長手方向パネル、ベースパネル並びに（ｉ）複数の小さい長手方向サイドパネル及び（ｉｉ）トップパネルの少なくとも１つを含み、パネルは、喫煙具を保持するための容器を形成するために組み立てられ得る。少なくとも１つの大きい長手方向パネルは、大きい長手方向パネルの外面から突出するタブを含む。
【００１８】
タブは、切削によって形成され得る。タブを含む少なくとも１つの大きい長手方向パネルは、複層であり得る。
【００１９】
本発明のさらなる態様において、喫煙具パッケージのための容器を形成するための被加工物であって、２つの大きい長手方向パネル、ベースパネル並びに（ｉ）複数の小さい長手方向サイドパネル及び（ｉｉ）トップパネルの少なくとも１つを含み、パネルは、喫煙具を保持するための容器を形成するために組み立てられ得、少なくとも１つの大きい長手方向パネルは、摺動レールを含む、被加工物が提供される。
【００２０】
被加工物は、少なくとも１つの複層の大きい長手方向パネルを形成するための強化パネルをさらに含み得、強化パネルの１つは、摺動レールを形成する折り曲げられたフラップを含む。
【００２１】
本発明の別の態様によると、喫煙具パッケージを形成するための被加工物の対であって、外壁を有する外容器に組み立てられ得る外容器被加工物、外容器に対して可動であり、且つ外壁の内側に提供され、及び複数の喫煙具を保持するための少なくとも１つの区画を含む内容器に組み立てられ得る内容器被加工物を含み、内容器被加工物及び外容器被加工物の一方は、摺動レールを含み、且つ内容器被加工物及び外容器被加工物の他方は、タブを含み、組み立てられると、タブは、レールに対して摺動するように構成され、且つ摺動レール及びタブは、それぞれの相対的位置において、内容器のための閉位置と第１及び第２開位置とを提供し、摺動レール及びタブは、外容器の外壁の内側に提供される、被加工物の対が提供される。
【００２２】
本発明の実施形態は、ここで、一例として図面を参照して説明される。
【図面の簡単な説明】
【００２３】
【図１】本発明の実施形態における喫煙具のためのパッケージの内容器の斜視図である。
【図２Ａ−２Ｂ】本発明の実施形態における喫煙具のためのパッケージの斜視図である。
【図３】本発明の別の実施形態における喫煙具のためのパッケージの内容器の斜視図である。
【図４】図３に示されたパッケージの内容器の詳細図である。
【図５】本発明の実施形態における喫煙具のためのパッケージの外容器の前面斜視図である。
【図６】図５に示されたパッケージの外容器の後面斜視図である。
【図７】本発明の実施形態におけるパッケージの前面斜視図であり、内容器は、外容器に対してずれた位置にある。
【図８】本発明の実施形態におけるパッケージの別の前面斜視図であり、内容器は、外容器内に全体的に含まれている。
【図９】本発明の実施形態における内容器及び外容器を形成するための被加工物の平面図である。
【図１０】本発明の実施形態における内容器及び外容器を形成するための被加工物の別の平面図である。
【発明を実施するための形態】
【００２４】
本発明の第１実施形態が図１、２Ａ、２Ｂ及び１０を参照して説明される。この配置構成において、喫煙具のためのパッケージ２は、それぞれの被加工物から形成された内容器４と外容器６とを含む。外容器６は、２つの開いた面を備えた直方体である。内容器４は、外容器６内に全体的に受け入れられ得るような大きさ及び形状にされた直方体である。喫煙具８は、内容器４内に収容される。
【００２５】
内容器４は、内容器４の前面の幅をわずかに下回る長さを備えたスロット１０を含む。２つのヒンジ蓋１２、１４が内容器４の上端部に提供され、これらは、ライナーにそれぞれ包まれた煙草のそれぞれの束にアクセスするために独立して開かれ得る。
【００２６】
タブ１６は、内容器４に向かって内側に突出するように外容器６の内面に提供される。使用時、タブ１６は、スロット１０に受け入れられる。内容器４は、したがって、外容器６に対して摺動することができ、移動の制限は、タブ１６がスロット１０の縁に当接する位置によって決められる。使用時、ユーザは、ヒンジ蓋１２、１４の１つが見えるようになるように外容器６に対して内容器４を摺動させ得る。ユーザは、次いで、煙草にアクセスするために、関連するヒンジ蓋１２、１４を開くことができる。内容器４は、その閉位置において、外容器６内に完全に含まれる。内容器４は、タブ１６がスロット１０に受け入れられている間、互いに反対である２つの可能な方向に移動し得る。内容器４は、第１ヒンジ蓋１２の下の煙草にアクセスするために第１方向に、及び第２ヒンジ蓋１４の下の煙草にアクセスするために第２方向に移動し得る。第１及び第２ヒンジ蓋１２、１４の下の煙草は、異なる特性、例えば風味を有し得る。
【００２７】
タブ１６とスロット１０との間の摺動相互作用部は、外容器６の外面１７の内側に提供される。摺動面を外面１７の内側に位置付けることが有利であることが分かっており、なぜなら、これは、それらが外部要因の影響を受けにくいことを意味するからである。これは、作動の信頼性を向上させることができ、外面１７の外側から見たときのある面の別の面に対する移動の可視性を減少させ得る。
【００２８】
この配置構成におけるタブ１６は、外容器６から内容器４に向かって延在する単純な突出部である。別の配置構成において、タブ１６は、スロット１０の縁の上に巻き付くようにかぎ形に曲げられ得る。
【００２９】
図１０から理解され得るように、タブ１６は、外容器６の被加工物の円周方向外形において形成される。換言すると、タブ１６は、被加工物の外縁の一部に沿って形成される。これは、被加工物が材料のシートから分離されるときにタブ１６が単一のステップで形成され得るために有利であり得る。材料のシートから被加工物を切り離すためにレーザーが使用されるとき、これは、円周方向外形又は輪郭の周りでの単一の連続的な操作で達成され得る。
【００３０】
本発明の第２実施形態が図３〜９を参照して説明される。この配置構成において、パッケージは、内容器１０４と外容器１０６とを含む。第１実施形態におけるように、外容器１０６は、２つの開いた面を備えた直方体である。内容器１０４は、外容器１０６内に完全に受け入れられ得るような大きさ及び形状にされた直方体である。喫煙具（図示せず）は、内容器１０４内に収容される。
【００３１】
煙草のための包み紙１０５が内容器１０４の上端部に提供される。内容器１０４のための被加工物２０４は、包み紙１０５を包む直方体に形成され得る。包み紙１０５に含まれた煙草へのアクセスの容易さを向上させるために、切欠き１０３が内容器１０４の上端部に提供される。
【００３２】
内容器１０４は、前面１１８にタブ１１６を含む。タブ１１６は、タブ１１６がその上端部で前面１１８に蝶番式に取り付けられるように、前面１１８におけるＵ字型の切り込みによって形成される。タブ１１６は、図３において、その下端で前面１１８から部分的に離れて突出するように外向きに曲げられた状態で示されている。タブ１１６は、好ましくは、前面１１８が作られている材料の固有の曲げ抵抗を理由として、図３において示された位置から離れて曲がるのに抵抗する。好ましい実施形態において、この材料は、紙又はボール紙である。
【００３３】
外容器１０６のための被加工物２０６は、２つの開いた面を有する直方体に形成され得る。外容器１０６は、前面１２０及び後面１２２（ただし、この用語法は、容易に逆にされ得ることが理解される）を含む。前面１２０は、使用時、内容器１０４の方を向いた内面１１５と、パッケージの外面である外面１１７とを含む。
【００３４】
前面１２０は、外容器１０６が形成されるときに内側に折り曲げられる第１及び第２サイドパネル１２４、１２６を含む。第１サイドパネル１２４は、Ｕ字型の切欠き１２８を含み、第２サイドパネル１２６は、突出部１３０を含む。突出部１３０は、パネル１２４、１２６が内側に折り曲げられるときにＵ字型の切欠き１２８内に収まるような大きさにされる。突出部１３０は、使用時、内面１１５から内容器１０４に向かって内側に突出し得るフラップ１１０を形成するための折り線を含む。結果として、前面１２０は、複層となる。
【００３５】
突出部１３０でのフラップ１１０の幅は、前面１２０の全幅よりわずかに小さい。フラップ１１０の第１端は、第２サイドパネル１２６と前面１２０との間の折り線からわずかに離間される。第１及び第２サイドパネル１２４、１２６が内側に折り曲げられると、フラップ１１０の第２端は、第１サイドパネル１２４におけるＵ字型の切欠き１２８に当接する。この配置構成におけるＵ字型の切欠き１２８は、第１サイドパネル１２４と前面１２０との間の折り線からわずかに離間される。したがって、フラップ１１０の第１及び第２端は、第１及び第２サイドパネル１２４、１２６間の折り線からわずかに離間される。実際には、これらは、フラップ１１０の両端でタブ１１６のための制限停止部を提供する。
【００３６】
フラップ１１０の奥行は、タブ１１６の長さにおよそ等しい。したがって、タブ１１６は、摺動レールとして機能するフラップ１１０と係合し得る。
【００３７】
外容器１０６は、概して、意匠を作り出し、且つ健康に関する警告又は製造についての詳細などの法的に必要とされる情報を含むために、その外側（外部）の表面にインク、ニス、ラッカー又はその組合せを使用して従来の方法で印刷される。典型的には、外容器１０６の内面は、印刷されない。
【００３８】
フラップ１１０は、概して、印刷された側と印刷されていない側とを有する。フラップ１１０は、印刷された側が略前面１２０の方を向いて前面１２０に対して角度を付けられるように折り曲げられる。使用時、内容器１０４は、外容器１０６に受け入れられ、タブ１１６は、フラップ１１０の上に巻き付き、且つその印刷されていない側に当接するように配置される。したがって、タブ１１６は、フラップ１１０と外容器１０６の前面１２０の内面１１５との間に提供される。内容器１０４は、したがって、外容器１０６に対して自由に摺動し得る。摺動相互作用部は、外容器１０６の前面１２０の内側に位置付けられる。前面１２０の外面１１７の内側に摺動面を位置付けることが有利であることが分かっており、なぜなら、これは、それらが外部要因によってあまり影響を受けないことを意味するからである。タブ１１６及びフラップ１１０の曲げ抵抗は、２つが一緒に付勢されることを意味する。
【００３９】
代替的な配置構成において、フラップ１１０は、内容器１０４に提供され得、タブ１１６は、外容器１０６に提供され得る。この配置構成において、フラップ１１０は、使用時、タブ１１６と外容器１０６の前面１２０の内面１１５との間に位置付けられ得る。
【００４０】
フラップ１１０は、摺動レールとして機能し得る。フラップ１１０及びタブ１１６は、それぞれの相対的位置において、内容器１０４のための閉位置と第１及び第２開位置とを提供する。閉位置において、内容器１０４は、図８に示されるとおり、外容器１０６内に全体的に受け入れられる。第１開位置において、タブ１１６は、フラップ１１０の一端において、制限停止部の一方の端部に位置付けられる。第２開位置において、タブ１１６は、フラップ１１０の反対側の端部において、制限停止部の他方に位置付けられる。実際には、内容器１０４における煙草に容易にアクセスできる限り、第１及び第２開位置は、タブ１１６がフラップ１１０に対して他の位置にあるときに提供され得る。図７は、煙草にアクセスできるように、内容器１０４が外容器１０６から部分的に露出される例示的な配置構成を示す。
【００４１】
使用時、内容器１０４は、閉位置から離れて互いに反対の方向に摺動され得る。第１開位置において、煙草は、内容器１０４の第１側からアクセスされ得、及び第２開位置において、煙草は、内容器１０４の第２側からアクセスされ得る。
【００４２】
複数の外容器被加工物２０６が材料の単一のシートにおいて提供され得る。被加工物２０６は、材料のシートから別個に打抜かれることによって分離され得る。被加工物２０６は、第１被加工物の第２サイドパネル１２６上の突出部１３０が第２被加工物の第１サイドパネル１２４のＵ字型の切欠き１２８内に入れ子になるように材料のシート上に配置される。対応する入れ子は、被加工物の後面のサイドパネルにおける突出部及び切欠きのために提供される。このような方法で被加工物を入れ子にすることは、製造中の材料の浪費を有利に減少させ得る。
【図１】
2020511371.tif 000003
【図２Ａ】
2020511371.tif 000004
【図２Ｂ】
2020511371.tif 000005
【図３】
2020511371.tif 000006
【図４】
2020511371.tif 000007
【図５】
2020511371.tif 000008
【図６】
2020511371.tif 000009
【図７】
2020511371.tif 000010
【図８】
2020511371.tif 000011
【図９】
2020511371.tif 000012
【図１０】
2020511371.tif 000013
【国際調査報告】
2020511371.tif 000014
2020511371.tif 000015
2020511371.tif 000016